(57)【要約】【課題】加工対象の墓石がある墓地において墓石に穴を開けることを容易にさせる墓石加工装置を提供する。【解決手段】墓石加工装置１００は、墓石に穴を開けるものであり、コアドリル１０と、墓石載置部２０とを備える。コアドリル１０におけるコアビット１２は、直接墓石を切削するものであり、矢印Ｆ方向沿って昇降可能である。墓石載置部２０は、墓石を載置するものであり、コアドリル１０と連結されている。墓石載置部２０における基台２１上においてＬ字型部材２３及び２４はそれぞれ矢印Ｄ、Ｆ方向に沿ってスライド可能である。墓石２１０に穴を開ける場合、墓石２１０を基台２１０に置き、Ｌ字型部材２３及び２４をスライドさせて墓石２１０を挟み込んで固定する。そして、コアビット１２を下方に移動させて墓石２１０の上面に穴を開ける。【選択図】      図２
0003171465.tif 000002
【実用新案登録請求の範囲】
【請求項１】
搬送が可能であり、墓を構成する墓石の上方からその墓石へ向かってコアビットを移動させてその墓石に穴を開けるドリルであるコアドリルにより構成されたことを特徴とする墓石加工装置。
【請求項２】
墓石を載置する墓石載置部をさらに備え、
前記コアドリルは、前記墓石載置部に取り付けられ、前記墓石載置部に載置された墓石の上方から前記墓石載置部に載置された墓石へ向かって前記コアビットを移動させてその墓石に穴を開けることを特徴とする請求項１に記載の墓石加工装置。
【請求項３】
前記墓石載置部は、
基台と、
前記基台上に設けられ、前記基台上に置かれた墓石を固定する墓石固定部とを備えたことを特徴とする請求項２に記載の墓石加工装置。
【請求項４】
前記墓石固定部は、前記基台上において所定方向にスライド可能な状態にある少なくとも２つの墓石固定部材により構成され、
前記少なくとも２つの墓石固定部材は、互いに対向する前記墓石固定部材をスライドさせて前記墓石を挟み込むことにより前記墓石を固定することを特徴とする請求項３に記載の墓石加工装置。
【請求項５】
前記墓石載置部は、
基台と、
前記基台上において所定方向にスライド可能な状態にある少なくとも２つの墓石支持部材とを備え、
前記少なくとも２つの墓石支持部材は、支持する墓石のサイズ、形状に応じてそれぞれスライドさせて墓石を支持することを特徴とする請求項２に記載の墓石加工装置。
【考案の詳細な説明】
【技術分野】
【０００１】
本考案は、墓石を加工する墓石加工装置に関し、特に、墓石に穴を開ける墓石加工装置に関する。
【背景技術】
【０００２】
新規な墓の建立に当たっては、設備が備わっている墓石の加工工場において墓石の加工作業が行われている。また、既に建立されている墓の墓石の加工も墓石を墓地から運び出し、墓石の加工工場において行っている。例えば、従来、墓石を装飾するために、新たな図形等を墓石に刻みたいという場合、墓石を墓地から運び出し、彫刻作業場において行っていた（例えば、特許文献１参照。）。
【先行技術文献】
【特許文献】
【０００３】
【特許文献１】特開２０１１−０１１３１９（段落０００２）
【考案の概要】
【考案が解決しようとする課題】
【０００４】
しかしながら、既に建立されている墓の墓石の加工において、墓石を墓地から墓石の加工工場へ運び出した後に、墓石を加工することは時間と労力を要する。特に、墓石は重いため、傷を付けないように運び出すことは作業者にとって負担である。また、加工対象の墓石がある墓地から墓石の加工工場まで遠い場合、運び出すのに時間をかなり費やしてしまい、効率が悪い。特に、墓石に穴を開ける作業は多いため、その作業が加工対象の墓石がある墓地で行えると作業の効率が向上する。
【０００５】
そこで、本考案は、加工対象の墓石がある墓地において墓石に穴を開けることを容易にさせる墓石加工装置を提供することを目的とする。
【課題を解決するための手段】
【０００６】
上記課題を解決するため、本考案の墓石加工装置は、搬送が可能であり、墓を構成する墓石の上方からその墓石へ向かってコアビットを移動させてその墓石に穴を開けるドリルであるコアドリルにより構成されたことを特徴とする。これにより、加工対象の墓石がある墓地において墓石に穴を開けさせるという作用をもたらす。
【０００７】
また、本考案の墓石加工装置において、墓石を載置する墓石載置部をさらに備え、上記コアドリルは、上記墓石載置部に取り付けられ、上記墓石載置部に載置された墓石の上方から上記墓石載置部に載置された墓石へ向かって上記コアビットを移動させてその墓石に穴を開けることを特徴とする。これにより、加工対象の墓石がある墓地において墓石に穴を開けさせるという作用をもたらす。
【０００８】
また、本考案の墓石加工装置において、上記墓石載置部は、基台と、上記基台上に設けられ、上記基台上に置かれた墓石を固定する墓石固定部とを備えたことを特徴とする。これにより、加工対象の墓石を固定した状態で墓石に穴を開けさせるという作用をもたらす。
【０００９】
また、本考案の墓石加工装置において、上記墓石固定部は、上記基台上において所定方向にスライド可能な状態にある少なくとも２つの墓石固定部材により構成され、上記少なくとも２つの墓石固定部材は、互いに対向する上記墓石固定部材をスライドさせて上記墓石を挟み込むことにより上記墓石を固定することを特徴とする。これにより、加工対象の墓石を簡易な構造で固定させるという作用をもたらす。
【００１０】
また、本考案の墓石加工装置において、上記墓石載置部は、基台と、上記基台上において所定方向にスライド可能な状態にある少なくとも２つの墓石支持部材とを備え、上記少なくとも２つの墓石支持部材は、支持する墓石のサイズ、形状に応じてそれぞれスライドさせて墓石を支持することを特徴とする。これにより、加工対象の墓石の下面に空間を確保させるという作用をもたらす。
【００１１】
また、本考案の墓石加工方法は、以上挙げた墓石加工装置を用いて加工対象の墓石がある墓地でその加工対象の墓石に穴を開けることを特徴とする。これにより、加工対象の墓石がある墓地において墓石に穴を開けさせるという作用をもたらす。
【考案の効果】
【００１２】
本考案によれば、加工対象の墓石がある墓地において墓石に穴を開けることを容易にすることできるという優れた効果を奏し得る。
【図面の簡単な説明】
【００１３】
【図１】本考案の実施の形態における墓石加工装置１００を示す図である。
【図２】本考案の実施の形態における墓石加工装置１００の使用例を示す図である。
【図３】本考案の別の実施の形態における墓石加工装置３００を示す図である。
【考案を実施するための形態】
【００１４】
次に本考案における墓石加工装置の実施の形態について図面を参照して詳細に説明する。
【００１５】
図１は、本考案の実施の形態における墓石加工装置１００を示す図である。墓石加工装置１００は、墓石に穴を開けるものであり、コアドリル１０と、墓石載置部２０とを備える。コアドリル１０は、墓石に穴を開けることができるものであり、コアビット駆動部１１と、コアビット１２と、スライドユニット１３と、昇降柱１４とを少なくとも備える。
【００１６】
コアビット駆動部１１は、コアビット１２を回転駆動させるものである。コアビット駆動部１１として、例えばモーターが想定される。コアビット駆動部１１を構成するモーターの軸にコアビット１２を連結させる。これにより、モーターを駆動させることでコアビット１２を回転させることができる。
【００１７】
コアビット１２は、直接墓石を切削するものである。コアビット１２として、例えば、円柱形状の台金の先端にダイヤモンド等のチップ１２ａが施されたものが想定されるが、これに限るものではなく、その他のものであってもよい。
【００１８】
スライドユニット１３は、昇降柱１４に沿って図１に示す矢印Ａ方向へ昇降する。この昇降は、例えばスライドユニット１３と昇降柱１４とでラックアンドピニオン機構を構成させて実現させることが想定される。この場合、ハンドル１３ａを回転させ、例えば時計回り回転の場合、スライドユニット１３は上昇し、反時計回り回転の場合、スライドユニット１３は下降するようにすることが想定される。なお、スライドユニット１３及び昇降柱１４における昇降は以上のような機構・態様に限るものではなく、その他の機構・態様であってもよい。
【００１９】
そして、コアビット駆動部１１及びコアビット１２は、スライドユニット１３に取り付けられているため、スライドユニット１３の昇降にしたがってコアビット駆動部１１及びコアビット１２も昇降する。
【００２０】
また、スライドユニット１３には、給水口１３ｂが設けられている。この給水口１３ｂから給水された水は、コアビット１２に供給される。これにより、コアビット１２により墓石に穴を開ける際、上記給水口１３ｂから給水された水が墓石の穴部に供給され、墓石の粉塵が舞うのを抑える等することができる。
【００２１】
墓石載置部２０は、墓を構成する墓石を載置するものである。墓石載置部２０は、例えば基台２１と、コアドリル連結部２２と、Ｌ字型部材２３及び２４とを備える。コアドリル１０は、コアドリル連結部２２において基台２１と連結される。連結態様の一具体例として、コアドリル１０における昇降柱１４の基台１４ａと、コアドリル連結部２２を構成するコアドリル連結台２２ａとをネジ又はボルト等の固定部材により固定させて上記両者を連結させる態様が挙げられるが、これ以外の態様であってもよい。
【００２２】
Ｌ字型部材２３及び２４は、基台２１上において所定方向（例えば、図１に示す矢印Ｂ、Ｃ方向）にスライド可能な状態にある。このＬ字型部材２３及び２４は、基台２１の表面と接する面に、それぞれ２つの溝２３ａ及び２３ｂ、並びに溝２４ａ及び２４ｂが設けられている。これらの溝は、Ｌ字型部材２３及び２４がスライド可能な方向に所定の長さを有している。基台２１にも溝２３ａ及び２３ｂ、並びに溝２４ａ及び２４ｂに対応する溝が設けられている。これらの溝にネジ又はボルト、ナット等のＬ字型部材固定部材２５ａ乃至２５ｄを通してＬ字型部材２３及び２４を基台２１上に固定する。ボルト、ナット等のＬ字型部材固定部材２５ａ乃至２５ｄの固定状態を解除して緩めれば、基台２１上においてＬ字型部材２３及び２４をスライドさせることができる。なお、Ｌ字型部材２３及び２４のスライド機構は以上のような機構に限るものではなく、その他の機構であってもよい。
【００２３】
また、Ｌ字型部材２３及び２４は、基台２１の表面と接しない面２３ｃ及び２４ｃが互いに対向するように配置される。Ｌ字型部材２３及び２４をスライドさせると、面２３ｃ及び２４ｃ間の距離が変わる。図２において説明するが、Ｌ字型部材２３及び２４は加工対象の墓石の固定部材としての役割を果たしたり、加工対象の墓石の支持部材としての役割を果たしたりする。
【００２４】
なお、Ｌ字型部材は、加工対象の墓石の固定部材としての役割、加工対象の墓石の支持部材としての役割を果たすのに、Ｌ字型部材２３及び２４の他にもいくつあってもよい。すなわち、Ｌ字型部材は、２つ以上あってもよい。
【００２５】
以上説明した本考案の実施の形態における墓石加工装置１００は、加工対象の墓石がある墓地に持ち込むことを想定している。これにより、加工対象の墓石の加工工場への運び出しをしなくてよくなり、作業者への負担を軽減するとともに作業効率を向上させることに資する。
【００２６】
図２は、本考案の実施の形態における墓石加工装置１００の使用例を示す図である。図２（ａ）は、花立て部分の墓石２１０に墓石加工装置１００で穴を開ける様子を示す図である。花立て部分の墓石２１０に穴を開ける場合、墓石２１０は、Ｌ字型部材２３及び２４の間に置く。
【００２７】
次に、Ｌ字型部材２３及び２４をそれぞれ図２（ａ）に示す矢印Ｄ、Ｅ方向へスライドさせて、墓石２１０をＬ字型部材２３及び２４により挟み込んで固定する。その後に、墓石２１０の上方から墓石２１０へ向かって（矢印Ｆ方向）コアドリル１０におけるコアビット１２を移動させて墓石２１０の上面に穴を開ける。
【００２８】
墓石２１０のような重量が比較的軽い墓石（例えば、１０ｋｇ前後）の場合、上記のように固定しないとコアドリル１０におけるコアビット１２の回転により墓石が動いてしまうため、墓石にきれいに穴を開けることが難しい。このため、墓石２１０のような重量が比較的軽い墓石の場合、Ｌ字型部材２３及び２４を上記説明したようにスライドさせて墓石固定部材として機能させることが想定される。
【００２９】
図２（ｂ）は、拝石２２０に墓石加工装置１００で穴を開ける様子を示す図である。拝石２２０に穴を開ける場合、拝石２２０は、Ｌ字型部材２３及び２４の上に置く。そして、Ｌ字型部材２３及び２４の上に置いてコアドリル１０により力を加えても拝石２２０を安定した状態にさせる必要がある。このことを実現させるために、拝石２２０の形状、サイズに応じた位置にＬ字型部材２３及び２４をそれぞれ矢印Ｇ方向へ適宜スライドさせる。その後に、拝石２２０の上方から拝石２２０へ向かって（矢印Ｈ方向）コアドリル１０におけるコアビット１２を移動させて拝石２２０の上面に穴を開ける。
【００３０】
拝石２２０のような重量が比較的重い墓石の場合（例えば、５０ｋｇ前後）、コアドリル１０におけるコアビット１２に回転により墓石が動いてしまうおそれが少ない。このため、図２（ａ）の場合のように固定しなくても事実上問題はない。また、墓石に貫通する孔を設ける場合、墓石の下面に空間が必要になる。拝石２２０のような重量が比較的重い墓石の場合、Ｌ字型部材２３及び２４を上記説明したように用いて墓石支持部材として機能させることが想定される。
【００３１】
なお、図２（ａ）及び図２（ｂ）において説明したことはあくまでも一例であって、墓石の重量や形状、サイズ等によって適宜Ｌ字型部材２３及び２４を機能させて墓石加工装置１００を使用することが好ましい。したがって、墓石の重量が比較的重いもの（例えば、７０ｋｇ前後）であっても、墓石の形状、サイズからして墓石を固定したほうが墓石に穴を開けるのに都合がいい場合は墓石を固定してもよい。Ｌ字型部材２３及び２４を墓石固定部材として使用するか、または墓石支持部材として使用するかは現場で適宜判断して行う。また、本考案において墓石固定部材、墓石支持部材としてのＬ字型部材は一例であって、Ｌ字型部材に限定されるものではない。すなわち、墓石固定部材、墓石支持部材として役割を果たせれば、その他の形状（例えば、コの字型部材等）であっても本考案の範囲に含まれる。
【００３２】
図３は、本考案の別の実施の形態における墓石加工装置３００を示す図である。本考案の実施の形態における墓石加工装置３００は、墓石に穴を開けるものであり、コアドリル３１０により構成されている。コアドリル３１０は、墓石加工装置１００におけるコアドリル１０と全く同様であり、既に説明済みであるため、ここではその説明を省略する。
【００３３】
墓石加工装置３００は、例えば芝台が例えば１トン近くの重量を有するような丘カロート型の墓石４００に用いるのに適している。このような丘カロート型の墓石４００の芝台４１０に穴を開ける場合、芝台４１０が重すぎて運搬すること難しい。したがって、墓石加工装置３００を芝台４１０上において固定して、丘カロート型の墓４００の芝台４１０を移動させずに芝台４１０に穴を開ける方がよい。墓石加工装置３００は、丘カロート型の墓石４００に限らず、運搬が困難な墓石全般において穴を開けるのに用いることができる。
【００３４】
墓石加工装置３００は、墓石加工装置１００においてコアドリル連結部２２で連結されたコアドリル１０と同じものである。したがって、墓石加工装置１００からコアドリル１０を取り外せば、それが墓石加工装置３００となる。したがって、加工対象である墓石の重量、形状、サイズ等に応じて適宜墓石加工装置１００からコアドリル１０を取り外してそれを墓石加工装置３００と捉え、その墓石加工装置３００で墓石に穴を開けるようにしてもよい。
【００３５】
このように、本考案の実施の形態における墓石加工装置１００および３００によれば、加工対象の墓石の重量、形状、サイズ等がどのようなものであっても現場で穴を開けることができる。これにより、無駄な労力を省き、作業の効率を向上させることができる。
【００３６】
なお、本考案の実施の形態は本考案を具現化するための一例を示したものであり、これに限定されるものではなく本考案の要旨を逸脱しない範囲において種々の変形を施すことができる。
【符号の説明】
【００３７】
１０、３１０  コアドリル
１１  コアビット駆動部
１２  コアビット
１２ａ  チップ
１３  スライドユニット
１３ａ  ハンドル
１３ｂ  給水口
１４  昇降柱
１４ａ  基台
２０  墓石載置部
２１  基台
２２  コアドリル連結部
２２ａ  コアドリル連結台
２３、２４  Ｌ字型部材
２３ａ、２３ｂ、２４ａ、２４ｂ  溝
２５ａ、２５ｂ、ｓ５ｃ，２５ｄ  Ｌ字型部材固定部材
１００、３００  墓石加工装置
【図１】
0003171465.tif 000003
【図２】
0003171465.tif 000004
【図３】
0003171465.tif 000005